(57)【要約】【課題】実行可能な機能が割り付けられたステアリングスイッチの機能内容を、カスタマイズされた音声情報に基づいて容易に機能確認できるスイッチ装置を提供する。【解決手段】車両１０のステアリングコラム２０に回転可能に支持されたステアリング３０の一部に設けられ、押下動作によりスイッチ動作する第１クリック位置、および、さらに押下されてスイッチ動作する第２クリック位置を有するステアリングスイッチ１００と、ステアリングスイッチ１００の第２クリック位置の押下動作による実行可能な機能を割り付けると共に、第１クリック位置または第２クリック位置における押下動作時に報知する音声情報を作成するカスタマイズ部２０１と、第１クリック位置または第２クリック位置における押下動作時に音声情報を報知する報知部（スピーカ３２０）と、を有して構成する。【選択図】図４
2010108862.tif 000002
【特許請求の範囲】
【請求項１】
押下動作によりスイッチ動作する第１クリック位置、および、さらに押下されてスイッチ動作する第２クリック位置を有するステアリングスイッチと、
前記ステアリングスイッチの前記第２クリック位置の押下動作による実行可能な機能を割り付けると共に、前記第１クリック位置または前記第２クリック位置における押下動作時に報知する音声情報を作成するカスタマイズ部と、
前記第１クリック位置または前記第２クリック位置における押下動作時に前記音声情報を報知する報知部と、
を有することを特徴とするスイッチ装置。
【請求項２】
前記第１クリック位置での音声情報は、前記実行可能な機能の確認するアナウンスであり、前記第２クリック位置での音声情報は、前記実行可能な機能の開始を知らせる動作確認音であることを特徴とする請求項１に記載のスイッチ装置。
【請求項３】
前記カスタマイズ部は、予め登録された音声データと新たに登録される音声データに基づいて前記音声情報を作成することを特徴とする請求項１に記載のスイッチ装置。
【発明の詳細な説明】
【技術分野】
【０００１】
本発明は、スイッチ装置に関する。
【背景技術】
【０００２】
車両のステアリングに設けられ、操作ボタンを押下げすることにより種々の車載機器の制御を可能にするステアリングスイッチがある。この種のステアリングスイッチは、個々の操作ボタンに対して押下げにより実行可能な機能が予め割り付けられているものが多い。これに対して、ステアリングスイッチのそれぞれの操作ボタンにユーザの好みに応じた実行可能な機能を自由に割り付けることができるステアリングスイッチ装置が提案されている（例えば、特許文献１参照）。
【０００３】
特許文献１のスイッチ装置によれば、ユーザが操作スイッチを操作することで、センタクークラスタＰＣに記憶された複数のステアリングスイッチ機能コードの中からステアリングスイッチ群に割り付けるステアリングスイッチ機能コードが選択できる。この割り付け後に、ユーザが、ステアリングスイッチを押下すると、センタクークラスタＰＣにおいて、押下されたステアリングスイッチに割り付けられた機能が、ステアリングスイッチ機能コードを参照して特定され、それに応じた制御対象に制御信号が出力される。また、センタークラスタディスプレイやヘッドアップディスプレイ等の表示手段により上記のステアリングスイッチに割り付けられた割り付け機能図が表示される。
【特許文献１】特開平１０−３０８１３６号公報
【発明の開示】
【発明が解決しようとする課題】
【０００４】
しかし、特許文献１のスイッチ装置によると、ステアリングスイッチに割り付けられる機能は種類が多く、その割り付けられた機能を忘れることも考えられる。従って、ステアリングスイッチに割り付けられた機能を確認するのに表示手段により表示された割り付け機能図を運転中に確認する必要があり、安全性においても問題となる。
【０００５】
従って、本発明の目的は、実行可能な機能が割り付けられたステアリングスイッチの機能内容を、カスタマイズされた音声情報に基づいて容易に機能確認できるスイッチ装置を提供することにある。
【課題を解決するための手段】
【０００６】
［１］本発明は、押下動作によりスイッチ動作する第１クリック位置、および、さらに押下されてスイッチ動作する第２クリック位置を有するステアリングスイッチと、前記ステアリングスイッチの前記第２クリック位置の押下動作による実行可能な機能を割り付けると共に、前記第１クリック位置または前記第２クリック位置における押下動作時に報知する音声情報を作成するカスタマイズ部と、前記第１クリック位置または前記第２クリック位置における押下動作時に前記音声情報を報知する報知部と、を有することを特徴とするスイッチ装置を提供する。
【０００７】
［２］前記第１クリック位置での音声情報は、前記実行可能な機能の確認するアナウンスであり、前記第２クリック位置での音声情報は、前記実行可能な機能の開始を知らせる動作確認音であることを特徴とする上記［１］に記載のスイッチ装置であってもよい。
【０００８】
［３］また、前記カスタマイズ部は、予め登録された音声データと新たに登録される音声データに基づいて前記音声情報を作成することを特徴とする上記［１］に記載のスイッチ装置であってもよい。
【発明の効果】
【０００９】
本発明によれば、実行可能な機能が割り付けられたステアリングスイッチの機能内容を、カスタマイズされた音声情報に基づいて容易に機能確認できるスイッチ装置を提供することができる。
【発明を実施するための最良の形態】
【００１０】
（本発明の実施の形態）
図１は、ステアリングスイッチを有する車両内部の斜視図である。図２は、図１におけるステアリング付近を拡大した拡大図である。図３は、ステアリングスイッチの第１クリック位置、および、第２クリック位置を示す図２におけるＡ−Ａ断面図である。図４は、本発明の実施の形態に係るスイッチ装置１の概略ブロック構成図である。
【００１１】
（スイッチ装置１の構成）
本発明の実施の形態に係るスイッチ装置１は、車両１０のステアリングコラム２０に回転可能に支持されたステアリング３０の一部に設けられ、押下動作によりスイッチ動作する第１クリック位置、および、さらに押下されてスイッチ動作する第２クリック位置を有するステアリングスイッチ１００と、ステアリングスイッチ１００の第２クリック位置の押下動作による実行可能な機能を割り付けると共に、第１クリック位置または第２クリック位置における押下動作時に報知する音声情報を作成するカスタマイズ部２０１と、第１クリック位置または第２クリック位置における押下動作時に音声情報を報知する報知部（スピーカ３２０）と、を有して概略構成されている。
【００１２】
ステアリングスイッチ１００は、車両１０のステアリングコラム２０に回転可能に支持されたステアリング３０の一部に設けられ、運転者がステアリングホイール３１を把持した状態で指等により押下動作できる状態で設けられている。図１、２では、ステアリング３０の左右２箇所に設けられ、それぞれのステアリングスイッチ１００には図２で示すように第１スイッチ部１０１、第２スイッチ部１０２、第３スイッチ部１０３の３つのスイッチ部が設けられている。尚、ステアリングスイッチの配置位置はステアリング３０の左右には限られず、また、ステアリングスイッチを構成するスイッチ部は３つ以外であってもよい。
【００１３】
図３は、図２における第２スイッチ部１０２のＡ−Ａ断面図である。第２スイッチ部１０２は、押下動作可能な操作ボタン１０４と図示しない２つの接点構造とからなる。操作ボタン１０４が押されてない状態、すなわち、ＯＦＦ状態の位置１０４ａから押下動作により第１クリック位置１０４ｂで１段目のスイッチ動作が行なわれ、さらに押下動作を行なうことにより第２クリック位置１０４ｃで２段目のスイッチ動作が行なわれる。１段目および２段目のスイッチ動作においてはクリック感（節度感）を有することが好ましい。上記は第２スイッチ部１０２について説明したが、第１スイッチ部１０１、及び第３スイッチ部１０３についても同様の構成である。
【００１４】
図４は、スイッチ装置１の概略ブロック構成図である。上記したステアリングスイッチ１００は、スイッチ装置１の制御全般を行なうステアリングスイッチＥＣＵ(Electronic Control Unit)２００に接続されている。ステアリングスイッチＥＣＵ２００には、ステアリングスイッチ１００に割り付けられた実行可能な機能の内容を報知する報知部としてのスピーカ３２０が接続されている。また、ステアリングスイッチＥＣＵ２００には、センタークラスタＥＣＵ３００がＣＡＮ(Controller Area Network)、ＬＩＮ(Local Interconnect Network)等の通信ライン４００により接続されている。そして、このセンタークラスタＥＣＵ３００には、ステアリングスイッチ１００の押下動作時に報知する音声情報を作成する際に使用するセンタークラスタディスプレイ１２および操作部１３が接続されている。
【００１５】
また、ステアリングスイッチＥＣＵ２００には、ステアリングスイッチ１００に機能割り付け可能な車載機器、例えば、オーディオ機器４０１、オートウインドウ装置４０２、フューエルリッド開閉装置４０３、カーナビゲーション４０４、エアコン装置４０５、・・・・・等の車載機器がＣＡＮ、ＬＩＮ等の通信ライン４００により接続されている。
【００１６】
センタークラスタディスプレイ１２は、図１に示すように、インスツルメントパネル１１の一部に設けられた表示装置であり、操作部１３により種々の操作が可能である。操作部１３のボタン操作により、センタークラスタディスプレイ１２に、例えば、オーディオ機器４０１、・・・・・等の車載機器の制御モード、制御メニュー等を画面表示しながら、ステアリングスイッチ１００の第２クリック位置の押下動作による実行可能な機能を割り付けると共に、第１クリック位置または第２クリック位置における押下動作時に報知する音声情報を作成することができる。これらのカスタマイズ操作は、ＣＡＮ、ＬＩＮ等の通信ライン４００を介して、ステアリングスイッチＥＣＵ２００のカスタマイズ部２０１と協働して行なわれる。
【００１７】
また、スピーカ３２０は、ステアリングスイッチ１００のそれぞれのスイッチ部（１０１、１０２、１０３）に割り付けられた実行可能な機能の内容を音声情報としてアナウンスする報知部として機能する。オーディオ装置４０１に備えられたスピーカと共用してもよく、また、別途専用に設けてもよい。
【００１８】
ステアリングスイッチＥＣＵ２００は、スイッチ装置１の制御全般を行なうが、カスタマイズ部２０１の中に機能割付部２０１ａを有しており、ステアリングスイッチ１００のそれぞれのスイッチ部（１０１、１０２、１０３）に実行可能な機能の割り付けを行なう。ここで、実行可能な機能は、オーディオ機器４０１、・・・・・等の車載機器の制御モード、制御メニューの単一機能の任意割り付け、単一機能を同時一括動作させる一括操作割り付け（例えば、窓開操作の単一機能を４箇所の窓全部に機能させる一括操作、等）、異なる単一機能を時系列に組み合わせたシーケンシャル操作割り付け、階層化された制御モード、制御メニューの途中にある単一機能を直接操作するショートカット割り付け、等の種々の割り付けが可能である。
【００１９】
また、ステアリングスイッチＥＣＵ２００は、ステアリングスイッチ１００の第１クリック位置または第２クリック位置における押下動作時に報知する音声情報を作成する音声情報作成部２０１ｂを有している。カスタマイズ部２０１における音声情報の作成とは、ソフトウェアの設定やそれに用いるデータ等を調整し、ユーザの好みに合わせて作り変えることをいい、本実施の形態では、予め登録された音声データと新たに登録される音声データに基づいて第１クリック位置における実行可能な機能の内容を説明する音声情報、および、第２クリック位置での前記実行可能な機能の開始を知らせる音声情報をユーザの好みに合わせて作り変えることをいう。
【００２０】
ステアリングスイッチ１００のスイッチ部に割り付けられた実行可能な機能が車載機器の制御モード、制御メニューの単一機能である場合には、音声情報作成部２０１ｂは、内部の記憶部に予め記憶されたこの単一機能に対応する音声データを選択する。また、単一機能を同時一括動作させる一括操作、シーケンシャル操作、ショートカット操作の場合は、操作部１３によりセンタークラスタディスプレイ１２上に各階層の制御メニューを表示させながらプログラムを作成し、これに対応する音声データを作成する。音声データの作成は、操作部１３により５０音データを組み合せて登録することができる。また、音声認識マイク３３０により、ユーザがアナウンス内容を音声データとして直接入力して登録してもよい。
【００２１】
上記のように作成された音声データは、ステアリングスイッチ１００のそれぞれに割り付けられた実行可能な機能に対応して、テーブル化されてステアリングスイッチＥＣＵ２００内部に記憶される。このテーブル化された音声データは、ステアリングスイッチ１００のそれぞれのスイッチ部（１０１、１０２、１０３）が操作され、１段目のスイッチ動作が行なわれた場合に、機能確認として、スピーカ３２０により実行可能な機能のアナウンスを行なう。
【００２２】
同様にして、２段目のスイッチ動作が行なわれた場合の動作確認として、動作確認音をそれぞれの実行可能な機能に対応して、音声データの選択または作成登録ができる。但し、２段目のスイッチ動作では実行可能な機能が実行されるので、通常は、「ピッ」等の動作確認音であれば足りる。
【００２３】
ここで、機能確認のための実行可能な機能のアナウンス例としては次のようなものが挙げられる。単一機能を同時一括動作させる一括操作の場合、オートウインドウ装置４０２による全部の窓を一括で閉める際に、「スベテノマドヲシメマス」とアナウンスする。また、シーケンシャル操作の場合、ガソリンスタンドでの給油時に、オーディオ機器４０１の音を一時消音し、オートウインドウ装置４０２によるドライバ席の窓を閉め、フューエルリッド開閉装置４０３によりフューエルリッドを開操作する一連の動作を、「ガソリンスタンドモード」とアナウンスする。
【００２４】
（スイッチ装置１の動作）
図３に示す第２スイッチ部１０２の断面図を参照して、以下にスイッチ装置１の動作説明を行なう。図３（ａ）に示す操作ボタン１０４が押下動作されていないＯＦＦ状態の位置１０４ａから、操作ボタン１０４が１段下に押下動作されて図３（ｂ）の第１クリック位置１０４ｂに操作されると、機能確認が行なわれる。例えば、第２スイッチ部１０２にカーナビゲーション４０４の制御モード、制御メニューとして、「ＶＩＥＷセレクト」が割り付けられている場合、機能確認として、「ビューセレクト」の音声がスピーカ３２０からアナウンスされる。これらの動作は、操作ボタン１０４が第１クリック位置に押下操作されると、ステアリングスイッチＥＣＵ２００が音声データテーブルを参照して対応する機能に応じて行なわれる。
【００２５】
次に、さらに操作ボタン１０４が押下動作されて、第２クリック位置１０４ｃで２段目のスイッチ動作が行なわれる。このスイッチ動作時には、動作確認が行なわれ、例えば、「ピッ」の確認音がスピーカ３２０から出力される。
【００２６】
（本発明の実施の形態の効果）
本発明の実施の形態によれば、次のような効果を有する。
（１）ステアリングスイッチＥＣＵ２００による割り付け機能により、ステアリングスイッチ１００のそれぞれのスイッチ部に種々の実行可能な機能の割り付けを行なうことができるが、割付機能を忘れてしまったときや、設定者と違う人が運転する場合に、操作ボタン１０４を１段下に押下動作することで、煩わしい行為をすることなく、簡単に割り付けられた機能を確認することができる。
（２）上記の機能確認に続いて１段目まで押下動作することにより、動作確認をすることができる。
（３）複雑な機能に対しても、ユーザが分かり易い表現内容で機能アナウンスされるので、ステアリングスイッチ１００の操作を安心して行なうことができる。
【００２７】
尚、本発明は上記の実施の形態に限定されるものではなく、その要旨を逸脱しない範囲で種々の態様において実施することが可能である。
【図面の簡単な説明】
【００２８】
【図１】図１は、ステアリングスイッチを有する車両内部の斜視図である。
【図２】図２は、図１におけるステアリング付近を拡大した拡大図である。
【図３】図２は、図１におけるステアリング付近を拡大した拡大図である。
【図４】図４は、本発明の実施の形態に係るスイッチ装置１の概略ブロック構成図である。
【符号の説明】
【００２９】
１…スイッチ装置、１０…車両、１１…インスツルメントパネル、１２…センタークラスタディスプレイ、１３…操作部、２０…ステアリングコラム、３０…ステアリング、３１…ステアリングホイール、１００…ステアリングスイッチ、１０１…第１スイッチ部、１０２…第２スイッチ部、１０３…第３スイッチ部、１０４…操作ボタン、１０４ａ…ＯＦＦ状態の位置、１０４ｂ…第１クリック位置、１０４ｃ…第２クリック位置、２００…ステアリングスイッチＥＣＵ、２０１…カスタマイズ部、２０１ａ…機能割付部、２０１ｂ…音声情報作成部、３００…センタークラスタＥＣＵ、３２０…スピーカ、３３０…音声認識マイク、４００…通信ライン、４０１…オーディオ機器、４０２…オートウインドウ装置、４０３…フューエルリッド開閉装置、４０４…カーナビゲーション、４０５…エアコン装置
【図１】
2010108862.tif 000003
【図２】
2010108862.tif 000004
【図３】
2010108862.tif 000005
【図４】
2010108862.tif 000006